(57)【要約】【課題】２つの回動軸を用いたポップアップ式ストロボユニットにおいて、リンク機構を追加することなく、発光部が装置本体に向けられた状態で発光することを回避する。【解決手段】ストロボユニットは、発光部５１１を有し、収納位置と発光位置との間を移動する可動部材５１０と、装置本体１に対して回動可能に支持され、可動部材５１０を回動可能に支持するアーム部材５２１と、可動部材５１０に設けられる磁石５１４と、アーム部材５２１の回動軸５６の近傍に設けられ、磁石５１４との距離が離れるにつれて出力値が小さくなる磁気センサ５３２ａとを有する。制御回路は、磁気センサ５３２ａの出力値が閾値を超える場合に、発光部５１１を発光不可状態に制御し、ストロボ光の配光角度５１１ａの範囲内に装置本体１の外装４０が配置される位置に可動部材５１０があるときの磁石５１４と磁気センサ５３２ａとの距離に応じた磁気センサ５３２ａの出力値が前記閾値を超えるように閾値が設定されている。【選択図】図６
2015141281.tif 000002
【特許請求の範囲】
【請求項１】
装置本体と、前記装置本体に内蔵されるストロボユニットとを備え、
前記ストロボユニットは、
発光部を有し、前記装置本体に収納される収納位置と前記装置本体から突出した発光位置との間を移動する可動部材と、
前記装置本体に対して回動可能に支持されるとともに、前記可動部材を回動可能に支持するアーム部材と、
前記可動部材、及び前記装置本体に対する前記アーム部材の回動軸の近傍のうちの一方に設けられる磁石と、
前記可動部材、及び前記装置本体に対する前記アーム部材の回動軸の近傍のうちの他方に設けられ、前記磁石との距離が離れるにつれて出力値が小さくなるように変化する磁気センサと、を有し、
前記装置本体は、
前記磁気センサの出力値が閾値以下の場合に、前記発光部を発光可能状態に制御し、前記磁気センサの出力値が前記閾値を超える場合に、前記発光部を発光不可状態に制御する制御手段、を有し、
前記発光部からのストロボ光の配光角度の範囲内に前記装置本体の外装が配置される位置に前記可動部材があるときの前記磁石と前記磁気センサとの距離に応じた前記磁気センサの出力値が前記閾値を超えるように前記閾値が設定されていることを特徴とする撮像装置。
【請求項２】
前記ストロボ光の配光角度の範囲内に配置される前記装置本体の外装は、樹脂で形成されていることを特徴とする請求項１に記載の撮像装置。
【請求項３】
前記磁石は、前記可動部材に設けられ、前記磁気センサは、前記装置本体に対する前記アーム部材の回動軸の近傍に設けられることを特徴とする請求項１又は２に記載の撮像装置。
【請求項４】
前記磁石は、前記発光部に対して前記アーム部材に対する前記可動部材の回動軸の軸方向に並設されることを特徴とする請求項３に記載の撮像装置。
【請求項５】
前記磁石と前記磁気センサとは、前記可動部材の収納位置で最も接近した位置に配置され、前記可動部材の発光位置で最も離れた位置に配置されることを特徴とする請求項１乃至４のいずれか一項に記載の撮像装置。
【発明の詳細な説明】
【技術分野】
【０００１】
本発明は、ポップアップ式のストロボユニットが内蔵された例えばデジタルカメラ等の撮像装置に関する。
【背景技術】
【０００２】
小型でかつレンズ鏡筒が大径のデジタルカメラ等では、レンズ鏡筒の先端でストロボ光が遮られて被写体に届かなくなる、所謂、「ケラレ」を防止するため、ポップアップ式のストロボユニットが内蔵されたものがある。ポップアップ式のストロボユニットは、ストロボ発光部を有する可動部材をカメラ本体の内部の収納位置とカメラ本体から突出した発光位置との間で移動させる。
【０００３】
可動部材をカメラ本体の収納位置から発光位置に移動させる機構としては、カメラの小型化の要請から、可動部材の収納スペースが少なくてすむ２軸の回動軸を用いたポップアップ機構が主流となっている。２つの回動軸を用いたポップアップ機構を用いることで、カメラ高さ方向に加え、レンズ鏡筒の光軸方向被写体側にストロボ発光部を移動させて、ポップアップ量を抑え、「ケラレ」を回避することができる。
【０００４】
また、通常、ストロボ発光部が発光位置にあることを検出する手段としては、プッシュスイッチ等の接触方式のものが用いられている。接触方式の検出スイッチは、ストロボ発光部が収納位置にあるときにスイッチが押されて発光不可状態（オン状態）となり、ストロボ発光部が発光位置にあるときにスイッチから離れて発光可能状態（オフ状態）となるように制御される。
【０００５】
しかし、このような接触方式の検出スイッチでは、一般的にストロボ発光部の位置を検出した場合、オン／オフ状態の切り替えタイミングに制限がある。すなわち、２軸の回動軸を用いたポップアップ機構の場合、発光位置でストロボ発光部だけが回動して、ストロボ発光部がカメラ本体に向けられた状態でも検出スイッチがオフ状態となって発光可能状態に切り替わってしまう。また、ストロボ発光部が収納位置から発光位置に移動する途中で、その移動が撮影者等に止められ、ストロボ光がカメラ本体に照射される状態でも検出スイッチがオフ状態となって発光可能状態に切り替わってしまう。このため、カメラ本体に焼けが発生してしまうという問題があった。
【０００６】
そこで、従来では、ストロボ発光部の動きを規制するリンク機構を設けて、ストロボ発光部がカメラ本体に向けられないようにした技術が提案されている（特許文献１）。
【先行技術文献】
【特許文献】
【０００７】
【特許文献１】特開２０１２−１２３３３５号公報
【発明の概要】
【発明が解決しようとする課題】
【０００８】
しかし、上記特許文献１では、ストロボ発光部の動きを規制するリンク機構を収納するスペースに制約が生じて、カメラの小型化の妨げになる。また、リンク機構を構成するための制約によりストロボ発光部を被写体側にポップアップする量が制限され、ストロボ光のケラレに対して不利になる。
【０００９】
そこで、本発明は、２つの回動軸を用いたポップアップ式ストロボユニットにおいて、リンク機構を追加することなく、ストロボ発光部が装置本体に向けられた状態で発光することを回避する仕組みを提供する。
【課題を解決するための手段】
【００１０】
上記目的を達成するために、本発明の撮像装置は、装置本体と、前記装置本体に内蔵されるストロボユニットとを備え、前記ストロボユニットは、発光部を有し、前記装置本体に収納される収納位置と前記装置本体から突出した発光位置との間を移動する可動部材と、前記装置本体に対して回動可能に支持されるとともに、前記可動部材を回動可能に支持するアーム部材と、前記可動部材、及び前記装置本体に対する前記アーム部材の回動軸の近傍のうちの一方に設けられる磁石と、前記可動部材、及び前記装置本体に対する前記アーム部材の回動軸の近傍のうちの他方に設けられ、前記磁石との距離が離れるにつれて出力値が小さくなるように変化する磁気センサと、を有し、前記装置本体は、前記磁気センサの出力値が閾値以下の場合に、前記発光部を発光可能状態に制御し、前記磁気センサの出力値が前記閾値を超える場合に、前記発光部を発光不可状態に制御する制御手段、を有し、前記発光部からのストロボ光の配光角度の範囲内に前記装置本体の外装が配置される位置に前記可動部材があるときの前記磁石と前記磁気センサとの距離に応じた前記磁気センサの出力値が前記閾値を超えるように前記閾値が設定されていることを特徴とする。
【発明の効果】
【００１１】
本発明によれば、２つの回動軸を用いたポップアップ式ストロボユニットにおいて、リンク機構を追加することなく、ストロボ発光部が装置本体に向けられた状態で発光することを回避することができる。
【図面の簡単な説明】
【００１２】
【図１】（ａ）は本発明の撮像装置の実施形態の一例であるデジタルカメラを正面側（被写体側）から見た斜視図、（ｂ）は（ａ）に示すデジタルカメラの発光部ユニットが発光位置にポップアップした状態を示す斜視図である。（ｃ）は、（ａ）に示すデジタルカメラを背面側から見た斜視図である。
【図２】デジタルカメラの外観部を構成する各ユニットを分解した斜視図である。
【図３】ストロボユニットの分解斜視図である。
【図４】（ａ）はストロボユニットの発光部ユニットが収納位置にあるときの磁石と磁気センサとの位置関係を示す図、（ｂ）は（ａ）の右側面図である。（ｃ）はストロボユニットの発光部ユニットが発光位置にポップアップしたときの磁石と磁気センサとの位置関係を示す図、（ｄ）は（ｃ）の右側面図である。
【図５】（ａ）は、発光部ユニットが発光位置にポップアップする途中で外的要因により移動を止められて発光部がカメラ本体に向けられた状態を示す図である。（ｂ）は、発光部ユニットが発光位置にポップアップした状態において、発光部ユニットをカメラ本体側に回動させた状態を示す図である。
【図６】（ａ）は、発光位置で発光部ユニットだけをバネの付勢力に抗して回動軸を中心に下方に回動させ、ストロボ光の配光角度内に上面カバーが入る直前で回動を止めた状態を示す図である。（ｂ）は、収納位置から発光部ユニットを発光位置にポップアップさせる途中で、ストロボ光の配光角度内から上面カバーが抜けた直後で発光部ユニットの移動を止めた状態を示す図である。
【発明を実施するための形態】
【００１３】
以下、図面を参照して、本発明の実施形態の一例を説明する。
【００１４】
図１（ａ）は本発明の撮像装置の実施形態の一例であるデジタルカメラを正面側（被写体側）から見た斜視図、図１（ｂ）は図１（ａ）に示すデジタルカメラの発光部ユニットが発光位置にポップアップした状態を示す斜視図である。図１（ｃ）は、図１（ａ）に示すデジタルカメラを背面側から見た斜視図である。
【００１５】
本実施形態のデジタルカメラは、図１に示すように、フロントカバー３１、リアカバー７１、上面カバー４０、サイドカバー６１、及び発光部カバー５１によりカメラ本体１の外装を形成している。フロントカバー３１及びリアカバー７１は、アルミニウム、ステンレス等の金属製の板材にプレス加工等の加工を施すことにより形成される。上面カバー４０、サイドカバー６１及び発光部カバー５１は、樹脂で形成される。ここで、カメラ本体１は、本発明の装置本体の一例に相当する。
【００１６】
図１（ａ）及び図１（ｂ）に示すように、カメラ本体１の正面側には、レンズ鏡筒２が設けられている。レンズ鏡筒２は、撮影位置と沈胴位置との間で光軸方向に移動して撮影倍率を変更するズーム式とされ、撮影レンズ、ズーム機構、シャッタ機構、及びフォーカス機構等が搭載される。
【００１７】
レンズ鏡筒２の後方には、光学像を光電変換して画像デ−タを生成するＣＣＤセンサやＣＭＯＳセンサ等の撮像素子（不図示）が実装されている。カメラ本体１の内部には、中央処理装置であるＣＰＵや各々のフレキシブル配線基板を電気的に接続するためのコネクタを備えるメイン基板（不図示）が配置されている。
【００１８】
カメラ本体１の上面側には、上面カバーユニット４が設けられている。上面カバーユニット４には、自動合焦の精度を向上させる際に発光するＡＦ_ＬＥＤ窓４１、及びマイク穴４０１が設けられている。また、上面カバーユニット４には、電源ボタン４２、再生ボタン４３、レリーズボタン４４、回転操作型のズームレバー４５、回転操作型のモードダイヤル４６が取り付けられている。
【００１９】
カメラ本体１を正面側から見て右上部には、撮影時に被写体の明るさが足りないときに発光するストロボユニット５が内蔵されている。ストロボユニット５の発光部ユニット５１０は、不使用時には、カメラ本体１内に収納され、使用時には、ストロボ解除レバー５２を操作することで、カメラ本体１内から発光位置にポップアップし、図１（ｂ）に示すように、カメラ本体１から突出した状態になる。つまり、ストロボユニット５の発光部ユニット５１０は、使用形態に応じて、図１（ａ）に示す収納位置と図１（ｂ）に示す発光位置との間を移動可能になっている。ここで、発光部ユニット５１０は、本発明の可動部材の一例に相当する。
【００２０】
カメラ本体１の底部には、電池蓋８が設けられている。電池蓋８は、電源となる主電池と撮影された画像データを記録する記録媒体を収納する電池室を開閉可能に覆う。電池蓋８を開くことによって、電池室が開口し、主電池と記録媒体が挿脱可能になる。
【００２１】
図１（ｃ）に示すように、カメラ本体１を背面側から見て右側の側部には、電源や信号の入出力用ジャックを保護するカバー部材９１，９２が開閉可能に設けられている。カバー部材９１，９２を開くことで、入出力用ジャックへの各種ケーブル類の抜き差しが可能となる。また、カメラ本体１の背面には、ＬＣＤ等で構成される表示ユニット１０及び各種操作ボタン群７２が設けられている。
【００２２】
図２は、デジタルカメラの外観部を構成する各ユニット３〜７を分解した分解斜視図である。図２に示すように、本実施形態のデジタルカメラは、カメラ本体１の内部構造部品に対して、外観部を構成するフロントカバーユニット３、上面カバーユニット４、ストロボユニット５、サイドカバーユニット６、及びリアカバーユニット７が組み付けられる。
【００２３】
次に、図３乃至図６を参照して、ストロボユニット５について説明する。図３は、ストロボユニット５の分解斜視図である。
【００２４】
図３に示すように、ストロボユニット５は、発光部ユニット５１０を有する。発光部ユニット５１０は、発光部５１１、発光部フレキ５１２、発光部ホルダ５１３、磁石５１４、及び発光部カバー５１により構成される。
【００２５】
発光部５１１は、Ｘｅ管、反射傘、発光部窓、及びトリガーコイルで構成される。反射傘及び発光部窓により、撮像の対象となる領域（以下、撮影画角という。）にストロボ光が集光するように配光角度５１１ａ（図５参照）を決められる。すなわち、反射傘及び発光部窓により撮影画角外に照射されていた光を撮影画角に集めることで、集光効率を高めることができる。発光部５１１には、電圧を印加する為に、発光部５１１から延びるＸｅ管とトリガーコイルの入力端子（不図示）が設けられ、入力端子は、発光部フレキ５１２と半田付けにより接続される。
【００２６】
発光部ホルダ５１３には、発光部５１１を収容する収容部５１３ａ、及び磁石５１４を収容する収容部５１３ｂが設けられ、収容部５１３ａ，５１３ｂは、カメラ本体１の左右の幅方向に並んで配置される。発光部ホルダ５１３の収容部５１３ａ，５１３ｂの後側には、発光部フレキ５１２を引き出すための挿通口５１３ｃが形成されている。
【００２７】
発光部５１１は、発光部ホルダ５１３の挿通口５１３ｃに発光部フレキ５１２を通しながら収容部５１３ａに収容される。磁石５１４は、収容部５１３ｂに高精度で位置決めさた状態で収容されて、接着剤により固定される。
【００２８】
発光部５１１及び磁石５１４が収容された発光部ホルダ５１３の上部に発光部カバー５１を被せることで、発光部５１１と磁石５１４はケーシングされ、側面からビス５１５をねじ込んで発光部カバー５１を発光部ホルダ５１３に固定する。これにより、発光部ユニット５１０の組立が完了する。
【００２９】
発光部ユニット５１０には、アーム部材５２１が組み付けられる。発光部ホルダ５１３の後側の底面には、一対の軸受部５１３ｄが設けられ、アーム部材５２１は、バネ５２２及び回動軸５２３を介して一対の軸受部５１３ｄに回動自在に支持される。バネ５２２は、発光部ユニット５１０をカメラ本体１から突出させる方向、すなわち発光位置に向けて付勢する。
【００３０】
また、発光部ユニット５１０が発光位置にあるときに、発光部フレキ５１２が露出しないように、発光部フレキ５１２を覆うアームカバー部材５２４をアーム部材５２１に組み付ける。その後、ビス５２５によりアームカバー部材５２４をアーム部材５２１に固定することで、発光部アームユニット５２０の組立が完了する。なお、アーム部材５２１にアームカバー部材５２４が固定されても、発光部フレキ５１２が移動するために必要な空間が確保されるようになっている。
【００３１】
発光部アームユニット５２０は、ストロボベース５３の上部に形成された収納部５３ａに収納される。ストロボベース５３の前面には、挿通口５３ｂ及び挿通口５３ｃが形成される。挿通口５３ｂ及び挿通口５３ｃは、発光部フレキ５１２をストロボベース５３の後側に配置されるストロボ基板５３０へ這い回すために用いられる。
【００３２】
発光部アームユニット５２０をストロボベース５３の収納部５３ａに収納する際には、発光部フレキ５１２を挿通口５３ｂへ通して発光部フレキ５１２をストロボベース５３の前面に引き出しておく。この状態で、ストロボベース５３に設けた一対の軸受部５３ｄにアーム部材５２１をバネ５５及び回動軸５６を介して回動可能に取り付ける。
【００３３】
一対の軸受部５３ｄは、ストロボ光のケラレに対して有利になるように、カメラ本体１の高さ方向において上側で、かつカメラ本体１の前後の厚み方向において前側に配置することが望ましい。つまり、外観部を構成する上面カバー４０の直下に一対の軸受部５３ｄを配置することが望ましい。バネ５５は、発光部ユニット５１０をカメラ本体１から突出させる方向、すなわち発光位置に向けて付勢する。
【００３４】
その後、発光部フレキ５１２を１８０度曲げて挿通口５３ｃへ通すことで、ストロボベース５３の後側に固定されるストロボ基板５３０へ発光部フレキ５１２を這い回す。このようにすることで、発光部ユニット５１０が発光位置にポップアップした状態においても、発光部フレキ５１２が露出する部分を最小限にして、発光部フレキ５１２をストロボベース５３の後側に配置したストロボ基板５３０に接続することができる。ストロボ基板５３０は、発光部フレキ５１２をストロボ基板５３０に配置されたコネクタ（不図示）に接続した後、ストロボベース５３に対してビス５３１により固定される。
【００３５】
磁気センサフレキ５３２には、発光部ホルダ５１３の収容部５１３ｂに固定された磁石５１４の磁気を検出する磁気センサ５３２ａが設けられる。磁気センサ５３２ａは、磁石５１４との距離に応じて信号を出力し、出力信号は、発光部ユニット５１０の発光不可状態／発光可能状態の切り替えを制御する制御回路に入力される。
【００３６】
磁気センサフレキ５３２は、発光部ホルダに収容された磁石５１４の近傍に配置されるようにストロボベース５３の軸受部５３ｄの図３の左側に高精度で位置決め固定され、ストロボ基板５３０に配置されたコネクタ（不図示）に接続される。
【００３７】
図４（ａ）はストロボユニット５の発光部ユニット５１０が収納位置にあるときの磁石５１４と磁気センサ５３２ａの位置関係を示す図、図４（ｂ）は図４（ａ）の右側面図である。図４（ｃ）はストロボユニット５の発光部ユニット５１０が発光位置にポップアップしたときの磁石５１４と磁気センサ５３２ａの位置関係を示す図、図４（ｄ）は図４（ｃ）の右側面図である。
【００３８】
前述したように、磁気センサ５３２ａは、磁石５１４との距離Ｌに応じて出力する信号（出力電圧信号）が変化する。そして、磁気センサ５３２ａからの出力電圧値に基づいて、制御回路が発光部ユニット５１０の発光部５１１を発光不可状態／発光可能状態に切り替え制御する。なお、ここでの切り替え制御については、後述する。
【００３９】
磁石５１４には、磁気の強いサマリウムコバルト系希土類磁石やネオジウム系希土類磁石等の永久磁石が用いられる。磁気センサ５３２ａは、一般的に、磁気を検出する素子として、巨大磁気抵抗（Ｇｉａｎｔ  Ｍａｇｎｅｔ  Ｒｅｓｉｓｔａｎｃｅ：ＧＭＲ）素子や半導体ホール素子などが用いられる。
【００４０】
ＧＭＲ素子は、磁気抵抗効果を利用して主面に平行な磁界を検出するデバイスであり、磁界が強いほど電気抵抗が増加する性質を有する合金（具体的には、ニッケル、鉄、コバルトを主成分とする）からなる。このＧＭＲ素子を用い、判定回路を組み込んでＧＭＲセンサが構成される。例えば、ＧＭＲセンサを貫く磁束密度の閾値を決め、出力値が閾値を超える場合には、Ｌ信号（オン信号）が出力され、閾値以下の場合には、Ｈ信号（オフ信号）が出力される。
【００４１】
ホール素子は、ホール効果を利用して、主面に垂直な磁場を検出するデバイスであり、このホール素子を用い、判定回路を組み込んで、ホールセンサが構成される。例えば、ホールセンサを貫く磁束密度の閾値を決め、出力値が閾値を超える場合には、Ｌ信号（オン信号）が出力され、閾値以下の場合には、Ｈ信号（オフ信号）が出力される。この様に、磁気センサ５３２ａは主面に対する検出可能な磁束の向きを考慮して適宜使い分ける必要がある。
【００４２】
図４（ａ）及び図４（ｂ）に示す状態では、ストロボ解除レバー５２（図１（ａ）参照）と一体に形成される爪部（不図示）が発光部ホルダ５１３の係合部５１３ｅに係合して、ストロボユニット５の発光部ユニット５１０が収納位置に保持されている。このとき、磁石５１４と磁気センサ５３２ａとの距離Ｌは、最も接近した状態で磁気センサ５３２ａからの出力電圧値は閾値を超えるＬ信号（オン信号）が出力される。
【００４３】
そして、カメラ本体１の制御回路は、磁気センサ５３２ａからのＬ信号（オン信号）に基づいて、発光部ユニット５１０の発光部５１１を発光不可状態に制御する。したがって、撮影者がレリーズボタン４４を全押操作しても、発光部５１１がストロボ光を発光することはない。
【００４４】
この状態で、撮影者がストロボ解除レバー５２をスライド操作すると、一体に形成された爪部が発光部ホルダ５１３の係合部５１３ｅから離脱する。これにより、バネ５５及びバネ５２２の付勢力により、アーム部材５２１が回動軸５６を中心に回動するとともに、発光部ユニット５１０の発光部ホルダ５１３が回動軸５２３を中心に発光位置に向けて回動する。
【００４５】
そして、アーム部材５２１がストロボベース５３のストッパ面５３ｅに当接することにより、バネ５５によるアーム部材５２１の付勢方向への回動が規制される。また、発光部ホルダ５１３がアーム部材５２１のストッパ面５２１ａに当接することにより、バネ５２２による発光部ホルダ５１３の付勢方向への回動が規制され、発光部ユニット５１０は、図４（ｃ）及び図４（ｄ）に示す発光位置にポップアップして保持される。
【００４６】
発光部ユニット５１０が収納位置から発光位置に移動するにしたがって、磁石５１４と磁気センサ５３２ａとの距離Ｌが遠くなっていく。このため、磁気センサ５３２ａからの出力電圧値は、発光部ユニット５１０が収納位置から発光位置に移動するにしたがって小さくなる。
【００４７】
発光部ユニット５１０が発光位置に保持されているとき、磁石５１４と磁気センサ５３２ａとの距離Ｌは、最も離れた状態で、磁気センサ５３２ａからの出力電圧値は所定の閾値以下となり、磁気センサ５３２ａからＨ信号（オフ信号）が出力される。
【００４８】
そして、カメラ本体１の制御回路は、磁気センサ５３２ａからのＨ信号（オフ信号）に基づいて、発光部ユニット５１０の発光部５１１を発光可能状態に制御する。したがって、撮影者がレリーズボタン４４を全押操作すれば、必要に応じて発光部５１１からストロボ光が照射される。
【００４９】
発光部ユニット５１０が発光位置にポップアップした状態で、撮影者が発光部ユニット５１０の発光部カバー５１を押すと、バネ５５２の付勢力に抗して、発光部ユニット５１０が回動軸５２３を中心として収納方向に回動する。同時に、アーム部材５２１もバネ５５の付勢力に抗して回動軸５６を中心として収納方向に回動する。
【００５０】
そして、撮影者が発光部カバー５１を更に押し込むと、カメラ本体１側に配置された爪部（不図示）が発光部ホルダ５１３の係合部５１３ｅに係合して、発光部ユニット５１０が収納位置に保持され、図４（ａ）及び図４（ｂ）に示す状態となる。
【００５１】
図５（ａ）は、発光部ユニット５１０が発光位置にポップアップする途中で外的要因により移動を止められて発光部５１１がカメラ本体１に向けられた状態を示す図である。図５（ａ）では、発光部５１１の発光中心がカメラ本体１の樹脂製の上面カバー４０から上方に突出する前の状態にある。
【００５２】
この状態で発光部５１１が発光すると、ストロボ光の配光角度５１１ａ内に上面カバー４０が配置されるため、エネルギ密度の高いストロボ光が上面カバー４０に照射され、「焼け」が発生してしまう。
【００５３】
図５（ｂ）は、発光部ユニット５１０が発光位置にポップアップした状態において、発光部ユニット５１０をカメラ本体１側に回動させた状態を示す図である。本実施形態のストロボユニット５は、小型化を図るためにリンク機構を設けていないことから、外的要因が加わると、図５（ｂ）に示すように、発光部ユニット５１０の向きが自在に変化する。
【００５４】
このように、発光部５１１の発光中心がカメラ本体１に向けられた状態で発光すると、ストロボ光の配光角度５１１ａ内に樹脂製の上面カバー４０が配置されるため、エネルギ密度の高いストロボ光が上面カバー４０に照射されて、「焼け」が発生してしまう。
【００５５】
そこで、本実施形態では、ストロボ光の配光角度５１１ａ内に樹脂製の上面カバー４０が配置されるときには、磁気センサ５３２ａからの出力電圧値が所定の閾値を必ず超えるようにして、発光部５１１を発光不可状態に制御する。
【００５６】
図６（ａ）は、発光位置で発光部ユニット５１０だけをバネ５２２の付勢力に抗して回動軸５２３を中心に下方に回動させ、ストロボ光の配光角度５１１ａ内に上面カバー４０が入る直前で回動を止めた状態を示す図である。
【００５７】
図６（ａ）の状態で発光部ユニット５１０を回動させると、ストロボ光の配光角度５１１ａ内に上面カバー４０が位置することになるため、この状態でストロボ光を発光させると樹脂製の上面カバー４０に焼けが発生する可能性がある。
【００５８】
従って、図６（ａ）の状態では、磁石５１４と磁気センサ５３２ａとの距離Ｌ１を境に、Ｌ＜Ｌ１となる場合は、磁気センサ５３２ａからの出力電圧値が閾値を超えるようにして、発光部５１１を発光不可状態に制御する必要がある。
【００５９】
一方、図６（ｂ）は、収納位置から発光部ユニット５１０を発光位置にポップアップさせる途中で、ストロボ光の配光角度５１１ａ内から上面カバー４０が抜けた直後で発光部ユニット５１０を止めた状態を示す図である。
【００６０】
図６（ｂ）の状態で発光部ユニット５１０を押し下げると、ストロボ光の配光角度５１１ａ内に上面カバー４０が位置することになるため、この状態でストロボ光を発光させると樹脂製の上面カバー４０に「焼け」が発生する可能性がある。
【００６１】
従って、図６（ｂ）の状態では、磁石５１４と磁気センサ５３２ａとの距離Ｌ２を境に、Ｌ＜Ｌ２となる場合は、磁気センサ５３２ａからの出力電圧値が閾値を超えるようにして、発光部５１１を発光不可状態に制御する必要がある。
【００６２】
外的要因により、発光部ユニット５１０の発光部５１１がカメラ本体１の外装に向けられると、磁石５１４と磁気センサ５３２ａとの距離Ｌが距離Ｌ１又はＬ２より短くなる。本実施形態では、距離Ｌが距離Ｌ１又はＬ２より短くなると、発光部５１１が発光可能状態から発光不可状態に切り替えられるように、磁気センサ５３２ａからの出力電圧値の閾値が設定されている。
【００６３】
すなわち、距離Ｌが距離Ｌ１又はＬ２未満となると、磁気センサ５３２ａからの出力電圧値が閾値を超え、距離Ｌが距離Ｌ１又はＬ２以上になると、磁気センサ５３２ａからの出力電圧値が閾値以下となるようにあらかじめ閾値が設定されている。
【００６４】
磁石５１４と磁気センサ５３２ａとは、発光部ユニット５１０の収納位置で最も接近した位置（Ｌ＝Ｌmin ）に配置され、発光位置で最も離れた位置（Ｌ＝Ｌmax ）に配置される。また、ストロボ光がカメラ本体１の上面カバー４０に照射されてしまうとき、すなわち、ストロボ光の配光角度５１１ａの範囲内に上面カバー４０が位置するときは、磁石５１４と磁気センサ５３２ａとの距離Ｌが必ず距離Ｌ１又はＬ２未満にならなければならない。
【００６５】
つまり、磁気センサ５３２ａの出力電圧値は、発光部ユニット５１０の収納位置で最大値となり、発光位置で最小値となり、また、ストロボ光の配光角度５１１ａの範囲内に上面カバー４０が位置するときに、閾値を超える必要がある。
【００６６】
図４乃至図６に示すように、磁石５１４は、発光部５１１対して回動軸５２３の軸方向に並設され、磁気センサ５３２ａは、上面カバー４０の直下に配置された回動軸５６近傍に配置される。
【００６７】
このような配置関係にすることで、ストロボ光の配光角度５１１ａの範囲内に上面カバー４０が位置するときに、磁石５１４と磁気センサ５３２ａとの距離Ｌを必ず距離Ｌ１又はＬ２未満とすることが可能となる。
【００６８】
以上説明したように、本実施形態では、２つの回動軸５６，５２２を用いたポップアップ式ストロボユニット５において、リンク機構を追加することなく、ストロボ発光部５１１がカメラ本体１に向けられた状態で発光することを回避することができる。これにより、カメラ本体１の外装に「焼け」が発生してしまうという問題を未然に防ぐことが可能となる。
【００６９】
なお、本発明の構成は、上記実施形態に例示したものに限定されるものではなく、材質、形状、寸法、形態、数、配置箇所等は、本発明の要旨を逸脱しない範囲において適宜変更可能である。
【００７０】
例えば、上記実施形態では、発光部ユニット５１０側に磁石５１４を設け、ストロボベース５３側に磁気センサ５３２ａを設けた場合を例示したが、発光部ユニット５１０側に磁気センサ５３２ａを設け、ストロボベース５３側に磁石５１４を設けてもよい。
【００７１】
すなわち、発光部ユニット５１０及びストロボベース５３のうちの一方に磁石５１４を設けられ、発光部ユニット５１０及びストロボベース５３のうちの他方に磁気センサ５３２ａが設けられる。
【符号の説明】
【００７２】
１  カメラ本体
５  ストロボユニット
５３  ストロボベース
５６  回動軸
５１０  発光部ユニット
５１１  発光部
５１４  磁石
５２０  発光部アームユニット
５２１  アーム部材
５２２  回動軸
５３２  磁気センサフレキ
５３２ａ  磁気センサ
【図１】
2015141281.tif 000003
【図２】
2015141281.tif 000004
【図３】
2015141281.tif 000005
【図４】
2015141281.tif 000006
【図５】
2015141281.tif 000007
【図６】
2015141281.tif 000008